(57)【要約】【課題】蓋体の下端と棚部との間の隙間に水を介在させてシールする構成であっても、上記隙間サイズの許容幅を広げることができる洗浄機を提供する。【解決手段】食器洗浄機１は、洗浄水タンク１５と、ドア７と、洗浄室３に配置される洗浄ノズル１２Ａ，１２Ｂ及びすすぎノズル１３Ａ，１３Ｂと、を備える。洗浄水タンク１５は、貯留部１１５の上方において、洗浄水タンクの内壁から略水平方向に張り出す棚部１５ｄを有している。食器洗浄機は、ドアを第一位置Ｐ１に位置させたときに、ドアの下端と棚部との間の隙間Ｇ１に、洗浄ノズル又はすすぎノズルから噴射される水を介在させることによって隙間をシールする。食器洗浄機は、洗浄ノズル又はすすぎノズルから噴射される水を隙間に誘導するガイド部材５０，５０Ａを備えている。【選択図】図３
2020014719.tif 000002
【特許請求の範囲】
【請求項１】
被洗浄物を洗浄する洗浄水を貯留する貯留部を有する洗浄水タンクと、前記洗浄水タンクの上方において第一位置と前記第一位置よりも上方の第二位置との間で昇降可能に設けられる蓋体と、前記蓋体を第一位置に位置させたときに画成される洗浄室に配置される洗浄ノズル及びすすぎノズルと、を備え、
前記洗浄水タンクは、前記貯留部の上方において、前記洗浄水タンクの内壁から略水平方向に張り出す棚部を有しており、
前記蓋体を前記第一位置に位置させたときに、前記蓋体の下端と前記棚部との間の隙間に、前記洗浄ノズル又は前記すすぎノズルから噴射される水を介在させることによって前記隙間をシールする洗浄機において、
前記洗浄ノズル又は前記すすぎノズルから噴射される水を前記隙間に誘導するガイド部材を備えている、洗浄機。
【請求項２】
前記洗浄室の下方に設けられた前記洗浄ノズル及び前記すすぎノズルの上方に配置され、前記被洗浄物が載置されるラックレールを更に備え、
前記ガイド部材の少なくとも一部は、前記ラックレールに取り付けられている、請求項１記載の洗浄機。
【請求項３】
前記ラックレールは、前記洗浄水タンクに対して着脱可能であり、又は、前記洗浄ノズル及び前記すすぎノズルの上方において前記被洗浄物を支持する第一状態と前記洗浄ノズル及び前記すすぎノズルの上方から退避する第二状態との間で回動可能に設けられており、
前記ガイド部材は、前記ラックレールと一体的に着脱可能、又は、前記ラックレールと一体的に回動可能に設けられている、請求項２記載の洗浄機。
【請求項４】
上下方向における前記ガイド部材の一方の端部は、前記ラックレールに取り付けられ、
前記ガイド部材の他方の端部は、前記水平方向において、前記棚部における内側の端部に所定の隙間を介して対向している、請求項２又は３記載の洗浄機。
【請求項５】
前記蓋体は、箱状の本体部と、前記本体部の下端から前記蓋体の内側に水平方向に延びる水平フランジ部と、前記水平フランジ部の端部から上方に折り返す側面フランジ部と、を有し、
上下方向における前記ガイド部材の一方の端部は、前記ラックレールに取り付けられ、
前記ガイド部材の他方の端部は、前記水平方向において、前記側面フランジ部に所定の隙間を介して対向している、請求項２又は３記載の洗浄機。
【請求項６】
前記ガイド部材は、板状部材から形成されており、
前記ガイド部材には、板厚方向に貫通する水抜穴が形成されている、請求項１〜５の何れか一項記載の洗浄機。
【発明の詳細な説明】
【技術分野】
【０００１】
本発明は、洗浄機に関する。
【背景技術】
【０００２】
食器等の被洗浄物を洗浄する洗浄機が知られている。例えば、特許文献１には、上方に全面開放する洗浄水タンク（洗浄槽）と、洗浄水タンクを上方から被蓋する昇降可能な蓋体（ケーシング状蓋体）と、を備え、洗浄水タンクを蓋体で被蓋した際に洗浄室が形成される食器洗浄機が開示されている。このような上下方向に昇降可能な蓋体を有する洗浄機では、被洗浄物の洗浄中に、洗浄水タンクと蓋体との隙間から外部に水及び水蒸気（湯気）が漏れ出すことを防止することが求められている。
【０００３】
特許文献１の洗浄機は、洗浄水タンクにおける上端より所要高さだけ低い位置の内壁の略全長に亘って形成され、内側に向けて水平に延出する棚部（張出部）と、棚部の上面に突設された複数の弾性体とを備え、蓋体で洗浄水タンクを被蓋した際に、蓋体の下端縁が前述の弾性体に当接して、下端縁と棚部の上面との間にわずかな隙間を形成するように形成されている。これにより、洗浄水タンクと蓋体との隙間から外部に水及び水蒸気が漏れ出すことを防止している。
【先行技術文献】
【特許文献】
【０００４】
【特許文献１】特開平１１−５６７３９号公報
【発明の概要】
【発明が解決しようとする課題】
【０００５】
上記従来の洗浄機の他に、蓋体の下端に対向するように、洗浄水タンクから水平方向に延出する棚部を設け、蓋体の下端と棚部との間のわずかな隙間に水を介在させることによって、表面張力による水膜を形成し、当該水膜によって当該隙間から外部に水及び水蒸気が漏れ出すことを防止する構成（ウォータシール）が知られている。
【０００６】
この構成の洗浄機では、当該隙間に供給される水の量が少なくなっても、表面張力によって水膜が維持されるが、隙間のサイズが大きくなると、表面張力が機能しなくなり、水膜が維持されない。このため、上記従来の洗浄機では、当該隙間サイズを厳密に管理する必要がある。一方、このように隙間サイズが調整された洗浄機では、蓋体の下端と棚部とが接触する可能性が高くなるので、このことも考慮して隙間サイズを調整する必要がある。しかしながら、このような厳密な隙間サイズの調整は、機体誤差等を考慮すると困難である。
【０００７】
本発明は、蓋体の下端と棚部との間の隙間に水を介在させることによって当該隙間をシールする構成において、上記隙間サイズの許容幅を広げることができる洗浄機を提供することを目的とする。
【課題を解決するための手段】
【０００８】
本発明に係る洗浄機は、被洗浄物を洗浄する洗浄水を貯留する貯留部を有する洗浄水タンクと、洗浄水タンクの上方において第一位置と第一位置よりも上方の第二位置との間で昇降可能に設けられる蓋体と、蓋体を第一位置に位置させたときに画成される洗浄室に配置される洗浄ノズル及びすすぎノズルと、を備え、洗浄水タンクは、貯留部の上方において、洗浄水タンクの内壁から略水平方向に張り出す棚部を有しており、蓋体を第一位置に位置させたときに、蓋体の下端と棚部との間の隙間に、洗浄ノズル又はすすぎノズルから噴射される水を介在させることによって隙間をシールする洗浄機において、洗浄ノズル又はすすぎノズルから噴射される水を隙間に誘導するガイド部材を備えている。
【０００９】
この構成の洗浄機では、洗浄ノズル又はすすぎノズルから噴射される水を蓋体の下端と棚部との間の隙間に誘導するガイド部材が設けられている。これにより、ガイド部材を備えない構成の洗浄機と比べて、当該隙間に供給される水の量が増えるようになるので、ガイド部材から当該隙間に向かう水の流れが形成される。このため、当該隙間が水によって満たされる（水没する）ようになり、表面張力に頼らなくても当該隙間に水が維持される。この結果、蓋体の下端と棚部との間の隙間が多少広がるような事象が発生したとしても、当該隙間へ水が介在する状態を維持することができる。すなわち、蓋体の下端と棚部との間の隙間に水を介在させることによって当該隙間をシールする構成において、上記隙間サイズの許容幅を広げることができる。
【００１０】
本発明の洗浄機では、洗浄室の下方に設けられた洗浄ノズル及びすすぎノズルの上方に配置され、被洗浄物が載置されるラックレールを更に備え、ガイド部材の少なくとも一部は、ラックレールに取り付けられていてもよい。この構成の洗浄機では、蓋体、洗浄ノズル及びすすぎノズル等の他の部材への接触を回避しつつ、蓋体の下端と棚部との間の隙間方向に延びるガイド部材を取り付ける取付部を容易に確保することができる。言い換えれば、洗浄機内に新たに取付部となる部材を設けることなく、既存のラックレールを取付部として利用することができる。これらの結果、部品点数の削減が可能となる。
【００１１】
本発明の洗浄機では、ラックレールは、洗浄水タンクに対して着脱可能、又は、洗浄ノズル及びすすぎノズルの上方において被洗浄物を支持する第一状態と洗浄ノズル及びすすぎノズルの上方から退避する第二状態との間で回動可能に設けられており、ガイド部材は、ラックレールと一体的に着脱可能、又は、ラックレールと一体的に回動可能に設けられていてもよい。この構成の洗浄機では、ガイド部材は、ラックレールと一体的に着脱可能、又は、回動可能となるので、例えば、ガイド部材と棚部との間に詰まった残菜等を取り除いたりする等のメンテナンスを容易に行える。
【００１２】
本発明の洗浄機では、上下方向におけるガイド部材の一方の端部は、ラックレールに取り付けられ、ガイド部材の他方の端部は、水平方向において、棚部における内側の端部に所定の隙間を介して対向していてもよい。この構成の洗浄機では、蓋体の下端と棚部との間の隙間に介在する水の量を適切に調整することが可能となる。
【００１３】
本発明の洗浄機では、蓋体は、箱状の本体部と、本体部の下端から蓋体の内側に水平方向に延びる水平フランジ部と、水平フランジ部の端部から上方に折り返す側面フランジ部と、を有し、上下方向におけるガイド部材の一方の端部は、ラックレールに取り付けられ、ガイド部材の他方の端部は、水平方向において、側面フランジ部に所定の隙間を介して対向していてもよい。この構成の洗浄機では、側面フランジ部を介して蓋体の下端と棚部との間の隙間に水を誘導することができる。これによれば、ガイド部材の先端（他端）を蓋体の下端と棚部との間の隙間に直接対向させる場合と比べて、ガイド部材の形状を簡素化することが可能になる。
【００１４】
本発明の洗浄機では、ガイド部材は、板状部材から形成されており、ガイド部材には、板厚方向に貫通する水抜穴が形成されていてもよい。例えば、蓋体の下端と棚部との間の隙間の一部に残菜等が詰まったり、棚部に接触するような状態でガイド部材が設置されたりする場合、蓋体の下端と棚部との間の隙間に過剰に水が介在し、洗浄水タンクの上端から水が溢れ出すことがある。この構成の洗浄機では、所定の介在量を超えた水は水抜穴から放出されるので、過剰に水が介在する状態となることを未然に防止できる。
【発明の効果】
【００１５】
本発明によれば、蓋体の下端と棚部との間の隙間に水を介在させてシールする構成であっても、上記隙間サイズの許容幅を広げることができる。
【図面の簡単な説明】
【００１６】
【図１】図１は、一実施形態に係る食器洗浄機の斜視図である。
【図２】図２は、一実施形態に係る食器洗浄機の概略構成を示す断面図である。
【図３】図３は、図２のＡ部を拡大して示した断面図である。
【図４】図４は、ラックレール及びラックレールに取り付けられたガイド部材を示す斜視図である。
【図５】図５（ａ）は、図４のガイドレールの一例を拡大して示した斜視図であり、図５（ｂ）は、図４のガイドレールの他の一例を拡大して示した斜視図である。
【図６】図６は、洗浄室の内部を示した断面図である。
【図７】図７は、熱交換ユニットを示す斜視図である。
【図８】図８は、変形例１に係る食器洗浄機のガイド部材の近傍を示した断面図である。
【図９】図９は、変形例２に係る食器洗浄機のガイド部材の近傍を示した断面図である。
【図１０】図１０は、変形例２に係る食器洗浄機のドアのフランジを示した斜視図である。
【図１１】図１１は、変形例４に係る食器洗浄機におけるガイド部材の近傍を示した断面図である。
【図１２】図１２は、変形例５に係る食器洗浄機におけるドアの下端近傍を示した断面図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。以下の説明においては、図１で規定する方向（上下方向、前後方向、左右方向）を説明に用いる。
【００１８】
図１及び図２に示されるように、食器洗浄機（洗浄機）１は、ステンレス製のパネルで覆われた洗浄機本体２を有している。洗浄機本体２は、洗浄室３が形成される上側部分２Ａと、機械室４が形成される下側部分２Ｂとに仕切られている。洗浄機本体２の背面側におけるコーナ部には、上側部分２Ａと下側部分２Ｂとに渡って上下方向に延びる支柱６が配置され、支柱６，６間には背面パネル５が配置されている。
【００１９】
洗浄機本体２の上側部分２Ａには、洗浄室３を画成又は開放するためのドア（蓋体）７が設けられている。ドア７は、洗浄水タンク１５の上方において第一位置Ｐ１と第一位置Ｐ１よりも上方の第二位置Ｐ２（図７参照）との間で昇降可能に設けられている。具体的には、ドア７は、ステンレス製の一対の支柱６，６により上下動自在に案内されると共に、前方において水平方向に延在するハンドル８Ａによって上下動される。第一位置Ｐ１は、ドア７が閉じられて洗浄室３が画成されるときの位置であり、食器が洗浄（洗浄運転及びすすぎ運転）されるときの位置でもある。第二位置Ｐ２は、ドア７が開けられて洗浄室３が開放されるときの位置であり、食器を収容したラックＲが出し入れされるときの位置である。
【００２０】
図３に示されるように、ドア７は、箱状の本体部７ａと、水平フランジ部７ｂと、側面フランジ部７ｃと、を有している。水平フランジ部７ｂは、本体部７ａの下端からドア７の内側に向かって水平方向に延びている部分である。側面フランジ部７ｃは、水平フランジ部７ｂの端部から上方に延びる部分である。
【００２１】
図１及び図２に戻り、ハンドル８Ａの両端には左右一対の回動アーム８Ｂ，８Ｂの先端が固定され、回動アーム８Ｂ，８Ｂはドア７の側面７Ａに沿って斜めに配置されている。回動アーム８Ｂ，８Ｂには、ドア７の側面７Ａに沿って配置されたリンク部８Ｃの一端が回動自在に連結され、リンク部８Ｃの他端は、軸ピン８Ｄを介してドア７に連結されており、ハンドル８Ａの回動運動に対してドア７が上下運動可能となっている。洗浄機本体２の底面の四隅には脚部９が取り付けられている。洗浄機本体２の側面には、食器洗浄機１を操作する操作パネル１０が設けられている。
【００２２】
第一位置Ｐ１においてドア７が洗浄水タンク１５を覆うとき、ドア７の内側には洗浄室３が形成される。このような洗浄室３の上部には、放射状に延びる３本のアームからなる上側洗浄ノズル（洗浄ノズル）１２Ａと、２本のアームからなる上側すすぎノズル（すすぎノズル）１３Ａと、がそれぞれ回転自在に配置されている。同様に、洗浄室３の下部には、放射状に延びる３本のアームからなる下側洗浄ノズル（洗浄ノズル）１２Ｂと、２本のアームからなる下側すすぎノズル（すすぎノズル）１３Ｂと、がそれぞれ回転自在に配置されている。食器ラックに並べられた食器は、上側洗浄ノズル１２Ａ及び下側洗浄ノズル１２Ｂによって上下から洗浄水が噴射され、上側すすぎノズル１３Ａ及び下側すすぎノズル１３Ｂによって上下からすすぎ水が噴射される。
【００２３】
洗浄室３の底部には、機械室４内に下方に向かって突出する貯留部１１５を有する洗浄水タンク１５が設けられている。洗浄室３と洗浄水タンク１５との間には、フィルタ１８が着脱自在に配置されている。洗浄水タンク１５の前面には、洗浄水吸込口を介して洗浄ポンプ２３が接続されている。洗浄ポンプ２３の吐出口には洗浄水吐出管２１が接続されている。洗浄水吐出管２１は、第一洗浄水吐出管２１Ａと第二洗浄水吐出管２１Ｂとに分岐して、第一洗浄水吐出管２１Ａは上側洗浄ノズル１２Ａに接続され、第二洗浄水吐出管２１Ｂは下側洗浄ノズル１２Ｂに接続されている。
【００２４】
図３に示されるように、洗浄水タンク１５は、貯留部形成部１５ａと、平面部１５ｂと、ノズル収容部（内壁）１５ｃと、棚部１５ｄと、ドア収容部（内壁）１５ｅと、取付部１５ｆと、を有している。貯留部形成部１５ａは、洗浄水を貯留する貯留部１１５を形成する。平面部１５ｂは、上方から見た平面視において貯留部形成部１５ａの周囲に形成され、略水平方向に延出する部分である。ノズル収容部１５ｃは、上方から見た平面視において下側洗浄ノズル１２Ｂの周囲を囲うように形成される部分である。
【００２５】
棚部１５ｄは、貯留部１１５の上方において、洗浄水タンク１５の内壁の一部であるノズル収容部１５ｃ及びドア収容部１５ｅから略水平方向に張り出す部分である。上方から見た平面視において棚部１５ｄは、ノズル収容部１５ｃから外側に張り出し、ドア収容部１５ｅから内側に張り出している。また、棚部１５ｄは、ドア７の下端である水平フランジ部７ｂの下方、かつ、洗浄水タンク１５の上端（取付部１５ｆ）よりも下方の位置に形成される。なお、ここでいう略水平方向に張り出すとは、水平方向に対して２０度未満の範囲で傾いた方向に張り出すことも含む。
【００２６】
ドア収容部１５ｅは、上方から見た平面視においてドア７の本体部７ａの下部の周囲を囲うように形成されている部分である。水平方向において、ドア収容部１５ｅとドア７の本体部７ａとの間には、わずかな隙間が形成されている。取付部１５ｆは、洗浄機本体２を構成するフレーム（図示せず）等に固定される部分である。
【００２７】
本実施形態の食器洗浄機１では、ドア７を第一位置Ｐ１に位置させたときに、ドア７の下端である水平フランジ部７ｂと棚部１５ｄとの間の隙間Ｇ１に、上側洗浄ノズル１２Ａ、上側すすぎノズル１３Ａ、下側洗浄ノズル１２Ｂ、又は下側すすぎノズル１３Ｂから噴射される水を介在させることによって隙間Ｇ１がシールされる。すなわち、本実施形態の食器洗浄機１では、水平フランジ部７ｂと棚部１５ｄとの間の隙間Ｇ１には、ウォータシールＷＳが形成される。ウォータシールＷＳは、水、水蒸気（湯気）又は洗浄音が洗浄室３から外部に漏れ出すことを抑制する。
【００２８】
図２に示されるように、洗浄室３における下側洗浄ノズル１２Ｂ及び下側すすぎノズル１３Ｂの上方には、飲食後の皿や茶碗等の食器（被洗浄物）が並べられた格子状のラックＲが載置されるラックレール４０が配置されている。ラックレール４０は、ステンレス鋼によって形成される枠体であり、食器洗浄機１に着脱自在に取り付けられている。ラックレール４０を食器洗浄機１から取り外した状態を図４に示す。図４に示されるように、ラックレール４０は、第一載置部４１，４１，４１と、第二載置部４２と、一対の第一支持部４３，４３と、第三載置部４４，４４と、一対の第二支持部４５，４５と、を有している。
【００２９】
図４及び図６に示されるように、第一載置部４１，４１，４１は、略三角形状の閉断面形状を有するパイプによって形成されている。第一載置部４１，４１，４１には、食器類を収納したラックＲが載置される。第一載置部４１，４１，４１は、コの字に配置されており、溶接等によって互いに一体化されている。ラックレール４０が洗浄室３に配置されたとき、第一載置部４１，４１，４１のそれぞれは、洗浄室３の左側下部、右側下部、及び前側下部に配置される。第一載置部４１，４１，４１のそれぞれは、後段にて詳述するガイド部材５０，５０Ａ（図５（ａ）及び図５（ｂ）参照）を取り付けるための二つのネジ孔４１ａ（図３参照）及び二つのネジ受け４８（図３参照）を有している。なお、これらのネジ孔４１ａ及びネジ受け４８は、ラックガイドとしての機能を有する部材を取り付けるための穴でもある。
【００３０】
第二載置部４２は、互いに対向する第一載置部４１，４１（洗浄室３に配置されたとき、洗浄室３の左側下部及び右側下部に配置される部材）間を接続する部材である。第二載置部４２は、中実状又は中空パイプ状の丸棒である。第二載置部４２は、洗浄室３に配置されたとき、後側下部に配置される。
【００３１】
一対の第一支持部４３，４３は、ラックレール４０が洗浄室３に配置されたとき、洗浄室３の前側下部に配置される第一載置部４１に固定されている。一対の第一支持部４３，４３は、第一載置部４１の左右方向の左側と右側とに配置されている。一対の第一支持部４３，４３のそれぞれは、第一載置部４１から下方に延びると共に、前側に屈曲する第一部分４３ａ，４３ａと、第一部分４３ａ，４３ａ同士を接続すると共に、ラックレール４０が洗浄室３に配置されたとき、洗浄水タンク１５の平面部１５ｂに載置される第二部分４３ｂを有する。第一支持部４３，４３は、中実状又は中空パイプ状の丸棒によって形成されている。
【００３２】
第三載置部４４，４４の一方は、互いに交差する第一載置部４１，４１（洗浄室３に配置されたとき、洗浄室３の右側下部及び前側下部に配置される部材）同士を接続する部材であり、第三載置部４４，４４の他方は、互いに交差する第一載置部４１，４１（洗浄室３に配置されたとき、洗浄室３の左側下部及び前側下部に配置される部材）同士を接続する部材である。第三載置部４４，４４は、中実状又は中空パイプ状の丸棒によって形成されている。
【００３３】
一対の第二支持部４５，４５のそれぞれは、第二載置部４２に接続されている。一対の第二支持部４５，４５の一方は、第二載置部４２から斜め左後方に延びる第一部分４５ａと、左右方向に延在する第二部分４５ｂと、を有している。一対の第二支持部４５，４５の他方は、第二載置部４２から斜め右後方に延びる第一部分４５ａと、左右方向に延在する第二部分４５ｂと、を有している。第二部分４５ｂ，４５ｂの端部のそれぞれは、洗浄室３に設けられる係止部４９（図２参照）に、双方向に回転可能かつ着脱可能に係止されている。
【００３４】
上述した一対の第二支持部４５，４５の構成により、ラックレール４０は、下側洗浄ノズル１２Ｂ及び下側すすぎノズル１３Ｂの上方においてラックＲが載置可能な第一状態と、洗浄室３の後側に跳ね上げて下側洗浄ノズル１２Ｂ及び下側すすぎノズル１３Ｂの上方から退避させる第二状態との間で回動可能に設けられている。洗浄水タンク１５の内部の清掃時等には、このラックレール４０を跳ね上げるだけで清掃作業を行うことができる。係止部４９は、ノズル収容部１５ｃから洗浄室３の内側に隆起された部分であり、斜め上方から第二部分４５ｂを係止する。ラックレール４０の取り外し時には第二部分４５ｂを斜め上方に移動させて外す。すなわち、ラックレール４０は、洗浄水タンク１５に対して着脱可能に設けられている。
【００３５】
ラックレール４０には、図５（ａ）に示されるようなガイド部材５０と、図５（ｂ）に示されるようなガイド部材５０Ａと、が取り付けられている。図５（ａ）に示されるガイド部材５０は、ラックレール４０が洗浄室３に配置されたとき、洗浄室３の前側下部に配置される第一載置部４１に取り付けられる。図５（ｂ）に示されるガイド部材５０Ａは、ラックレール４０が洗浄室３に配置されたとき、洗浄室３の左側下部及び右側下部に配置される第一載置部４１，４１に取り付けられる。何れのガイド部材５０，５０Ａも、下側洗浄ノズル１２Ｂ、下側すすぎノズル１３Ｂ、ドア７、洗浄水タンク１５等の他の部材へ接触しないように、ラックレール４０に取り付けられる。
【００３６】
ガイド部材５０，５０Ａは、ネジ５９（図３参照）によってラックレール４０に固定されている。ガイド部材５０は、ステンレス鋼等によって形成される板状の部材であって、固定部５１と、ラックガイド部５２と、接続部５３と、第一ウォータガイド部５４と、第二ウォータガイド部５５と、を有している。ガイド部材５０Ａも、ガイド部材５０と同様に、ステンレス鋼等によって形成される板状の部材であって、固定部５１と、第一ウォータガイド部５４と、第二ウォータガイド部５５と、を有している。上述したガイド部材５０，５０Ａの各部は、プレス加工等によって形成される。
【００３７】
固定部（ガイド部材の一方の端部）５１は、ラックレール４０に取り付けられる部分であり、二つのネジ孔５１ａを有している。ラックガイド部５２は、ガイド部材５０がラックレール４０に取り付けられ、ラックレール４０が洗浄室３に配置されたとき、ラックレール４０に載置されるラックＲの側面をガイドする部分である。接続部５３は、固定部５１とラックガイド部５２とを接続する部分である。
【００３８】
第一ウォータガイド部５４は、固定部５１から延在する部分であり、水抜穴５４ａを有している。第一ウォータガイド部５４は、ガイド部材５０，５０Ａがラックレール４０に取り付けられ、ラックレール４０が洗浄室３に配置されたとき、棚部１５ｄの内側端部Ｐに向かって下方に延在する部分である。第一ウォータガイド部５４は、上側洗浄ノズル１２Ａ、上側すすぎノズル１３Ａ、下側洗浄ノズル１２Ｂ、又は下側すすぎノズル１３Ｂから噴射される水を隙間Ｇ１に誘導する。第一ウォータガイド部５４を伝う水の一部は、水抜穴５４ａを介して洗浄水タンク１５側に誘導される。
【００３９】
第二ウォータガイド部５５は、第一ウォータガイド部５４から連続する部材であり、隙間Ｇ１に向かって折れ曲がる部分である。第二ウォータガイド部５５の先端は、水平方向において洗浄水タンク１５の棚部１５ｄの内側端部Ｐ（ノズル収容部１５ｃと棚部１５ｄとの交点）に対向している。第二ウォータガイド部５５の先端（ガイド部材の他方の端部）と棚部１５ｄの内側端部Ｐとの水平方向における隙間Ｇ２のサイズは、隙間Ｇ１に介在させたい水の量に合わせて適宜調整され、例えば５ｍｍ程度である。
【００４０】
図２に示されるように、機械室４内には、外部から給水管（図示せず）を介してすすぎ水が供給されるすすぎ水タンク２５が配置されている。すすぎ水タンク２５には、すすぎ水吸込管２９を介してすすぎポンプ２７が接続されている。すすぎポンプ２７の吐出口にはすすぎ水吐出管３１が接続されている。すすぎ水吐出管３１は、第一すすぎ水吐出管３１Ａと第二すすぎ水吐出管３１Ｂとに分岐して、第一すすぎ水吐出管３１Ａは上側すすぎノズル１３Ａに接続され、第二すすぎ水吐出管３１Ｂは下側すすぎノズル１３Ｂに接続されている。第一すすぎ水吐出管３１Ａは、第一洗浄水吐出管２１Ａ内に配置されている。すなわち、第一洗浄水吐出管２１Ａ及び第一すすぎ水吐出管３１Ａは、二重管構造を成している。
【００４１】
機械室４内には、食器洗浄機１の動作全般を制御するコントローラ９０が内蔵された電装ボックス（図示せず）等が収容されている。
【００４２】
図７に示されるように、洗浄機本体２は、洗浄室３内の水蒸気を排気する開口部２Ｈを有する。開口部２Ｈは、背面パネル５を厚み方向（前後方向）に貫通して形成されている。開口部２Ｈは、洗浄機本体２の背面パネル５の上端部に配置されている。開口部２Ｈは、洗浄機本体２の左右方向に沿って延在している。
【００４３】
図１及び図７に示されるように、食器洗浄機１は、熱交換ユニット６０を備えている。熱交換ユニット６０は、筐体６２と、熱交換器６４と、排気ファン６８と、を有している。熱交換ユニット６０は、洗浄機本体２の洗浄室３から排出された水蒸気を凝縮して、水蒸気の包含量が減少した空気（以下、単に「空気」と称する。）を外部に排出する。熱交換ユニット６０では、水蒸気（空気）の流通する経路において、上流側から、熱交換器６４及び排気ファン６８がこの順番で配置されている。
【００４４】
筐体６２は、熱交換器６４及び排気ファン６８を収容する。筐体６２は、箱状の部材である。筐体６２は、洗浄室３から排気された水蒸気を流通させると共に、熱交換器６４により熱交換された空気を流通させる流路を構成している。筐体６２は、洗浄機本体２の背面パネル５に固定されている。筐体６２は、洗浄機本体２の背面側において、上下方向に延在している。
【００４５】
筐体６２は、吸気口６３ａと、排気部６３ｂと、を有する。吸気口６３ａは、水蒸気を筐体６２内に取り入れる。吸気口６３ａは、筐体６２の下部に設けられている。洗浄機本体２の背面パネル５に設けられた開口部２Ｈに接続されている。これにより、洗浄機本体２の洗浄室３と筐体６２とは、連通している。
【００４６】
排気部６３ｂは、水蒸気の包含量が減少した空気を外部に排出する。排気部６３ｂは、筐体６２の上部に設けられている。排気部６３ｂは、吸気口６３ａと連通している。排気部６３ｂには、複数の開口部が設けられたグリル６１が配置されている。グリル６１によって、排気ファン６８が覆われるため、空気の排出を可能にしつつも作業者等が排気ファン６８に接触すること防止できる。
【００４７】
熱交換器６４は、フィン及び流路管（いずれも図示せず）等を有している。流路管の一端には、給水管（図示せず）が接続されている。給水管は、流路管に水を供給する。給水管には、図示しない水道等の水源から水が供給される。流路管の他端には、排水管（図示せず）が接続されている。排水管は、流路管を通過した水を排出する。排水管は、すすぎ水タンク２５に接続されている。すなわち、熱交換器６４の流路管を流通した水は、すすぎ水タンク２５に排出される。熱交換器６４は、筐体６２内を流通する水蒸気と接触する。熱交換器６４は、流路管を流通する水と水蒸気との間で熱交換を行う。
【００４８】
排気ファン６８は、筐体６２において、水蒸気（空気）の流通経路の下流部に配置されている。排気ファン６８は、開口部２Ｈから熱交換ユニット６０に水蒸気を取り込んで排気部６３ｂから空気を排出させる。排気ファン６８は、筐体６２の排気部６３ｂ近傍に配置されている。具体的には、排気ファン６８は、筐体６２の上端部に配置され、前方に突出したダクト部６２ｃに配置されている。
【００４９】
続いて、食器洗浄機１の動作について説明する。食器洗浄機１は、電源スイッチがＯＮされると、すすぎ水タンク２５内の温水をすすぎポンプ３４によって洗浄室３へ噴射することにより、洗浄水タンク１５内へ温水が供給される。すすぎ水タンク２５内の温水の温度は、例えば、８０℃前後に設定されている。これにより初期給湯が行われる。そして、初期給湯量に合った量の洗剤が洗浄水タンク１５内へ供給されて、洗浄水タンク１５内の洗浄水の洗剤濃度が所定濃度となる。
【００５０】
初期給湯後、ユーザが食器をラッキングして、ドア７を閉めると、食器の洗浄が開始される。食器の洗浄は、洗浄水タンク１５内の洗浄水を洗浄室３内の食器に向けて噴射することにより行われる。洗浄水タンク１５内の洗浄水の温度は、例えば、６０℃〜７０℃となるように設定されている。洗浄ポンプ２３が始動することにより、洗浄水タンク１５内に貯留された洗浄水は、洗浄水吐出管２４等を介して上側洗浄ノズル１２Ａ及び下側洗浄ノズル１２Ｂに圧送されて、上側洗浄ノズル１２Ａ及び下側洗浄ノズル１２Ｂから洗浄室３内の食器に向けて噴射される。このとき、上側洗浄ノズル１２Ａ及び下側洗浄ノズル１２Ｂは噴射力の反力によって回転し続けるため、洗浄水が食器に満遍なく当てられて、食器の汚れが効率良く洗い落とされる。
【００５１】
上側洗浄ノズル１２Ａ及び下側洗浄ノズル１２Ｂから洗浄室３内の食器に向けて噴射された水のうち、ラックレール４０の外側に落下する水の大部分は、ガイド部材５０，５０Ａによって洗浄水タンク１５の棚部１５ｄに案内される。これにより、ガイド部材５０，５０Ａから隙間Ｇ１に向かう水の流れが形成される。棚部１５ｄに案内された水は、ドア７の下端である水平フランジ部７ｂよりも少し上方にまで貯留され、棚部１５ｄと水平フランジ部７ｂとの間の隙間Ｇ１には水が満たされる（介在する状態となる）。これにより、隙間Ｇ１にはウォータシールＷＳが形成され、隙間Ｇ１がシールされる。
【００５２】
ガイド部材５０，５０Ａから隙間Ｇ１に流れ込む水は、棚部１５ｄの内側端部Ｐとガイド部材５０，５０Ａとの間の隙間Ｇ２又は、左右方向又は前後方向におけるガイド部材５０，５０Ａの端部から洗浄水タンク１５に流れ出るが、洗浄中は、上側洗浄ノズル１２Ａ及び下側洗浄ノズル１２Ｂから噴射されて隙間Ｇ１に供給される水と、当該流れ出る水との均衡によって、隙間Ｇ１の水の量は一定に維持される。このため、上側洗浄ノズル１２Ａ及び下側洗浄ノズル１２Ｂから水が噴射されなくなると、隙間Ｇ１に介在する水はなくなる。なお、隙間Ｇ１を満たす水の量をどの程度にするかは、ガイド部材５０，５０Ａの長手方向のサイズや、棚部１５ｄの内側端部Ｐとガイド部材５０，５０Ａとの間の隙間Ｇ２等を適宜設定することにより調整される。
【００５３】
この洗浄室３内に噴射された洗浄水は、食器から洗い落とされた残菜等がフィルタ１８によって取り除かれつつ洗浄水タンク１５内に回収される。洗浄水タンク１５内に回収された洗浄水は、洗浄ポンプ２３により再び洗浄室３内に循環供給される。洗浄水による食器の洗浄が所定時間行われると、洗浄ポンプ２３の作動を停止する。これにより、食器洗浄機１の動作が一時的に休止する。
【００５４】
次に、すすぎポンプ３４が始動することにより、すすぎ水タンク２５内に貯留されたすすぎ水は、すすぎ水吐出管３６等を介して上側すすぎノズル１３Ａ及び下側すすぎノズル１３Ｂに圧送されて、上側すすぎノズル１３Ａ及び下側すすぎノズル１３Ｂから食器に向けて噴射される。すすぎ水タンク２５から圧送されるすすぎ水の温度は、例えば、８０℃前後に設定されている。このとき、上側すすぎノズル１３Ａ及び下側すすぎノズル１３Ｂもまた、噴射力の反力によって回転し続けるため、すすぎ水が食器に満遍なく当てられて、食器のすすぎが効率良く行われる。
【００５５】
この食器に噴射されたすすぎ水は、フィルタ１８を介して洗浄水タンク１５内に回収されて洗浄水と混ざり合い、次回の洗浄工程における洗浄水として使用される。洗浄室３内にすすぎ水が噴射されて洗浄水タンク１５内に回収されると、一定水位を超える余剰な洗浄水は、オーバーフロー管（図示省略）から外部に排出される。
【００５６】
上側すすぎノズル１３Ａ及び下側すすぎノズル１３Ｂから洗浄室３内の食器に向けて噴射された水のうち、ラックレール４０の外側に落下する水の大部分は、ガイド部材５０，５０Ａによって洗浄水タンク１５の棚部１５ｄに案内される。棚部１５ｄに案内された水は、洗浄時と同様に、ドア７の下端である水平フランジ部７ｂよりも少し上方にまで貯留され、棚部１５ｄと水平フランジ部７ｂとの間の隙間Ｇ１には水が満たされる。これにより、隙間Ｇ１にはウォータシールＷＳが形成され、隙間Ｇ１がシールされる。また、すすぎ時において、隙間Ｇ１に一定の水が介在する状態が維持されるメカニズムも洗浄時と同様である。
【００５７】
続いて、上記実施形態の食器洗浄機１の作用効果について説明する。図３に示されるように、上記実施形態の食器洗浄機１では、上側洗浄ノズル１２Ａ、上側すすぎノズル１３Ａ、下側洗浄ノズル１２Ｂ、又は下側すすぎノズル１３Ｂから噴射される水を、ドア７の下端である水平フランジ部７ｂと棚部１５ｄとの間の隙間Ｇ１に誘導するガイド部材５０，５０Ａが設けられている。これにより、ガイド部材５０，５０Ａを備えない構成の食器洗浄機と比べて、当該隙間Ｇ１に供給される水の量が増えるので、ガイド部材５０，５０Ａから隙間Ｇ１に向かう水の流れが形成される。このため、隙間Ｇが水によって満たされる（水没する）ようになり、表面張力に頼らなくても隙間Ｇ１に水が維持される。この結果、水平フランジ部７ｂと棚部１５ｄとの間の隙間Ｇ１が多少広がるような事象が発生したとしても、当該隙間Ｇ１へ水が介在する状態を維持することができる。すなわち、水平フランジ部７ｂと棚部１５ｄとの間の隙間Ｇ１に水を介在させることによって当該隙間Ｇ１をシールする構成において、上記隙間サイズの許容幅を広げることができる。
【００５８】
本実施形態の食器洗浄機１は、上述したとおり、隙間Ｇ１から外部に漏れ出す水蒸気の量が抑制される。したがって、熱交換ユニット６０における蒸気の回収効果が向上する。
【００５９】
上記実施形態では、ガイド部材５０、５０Ａが、ラックレール４０に取り付けられている。これにより、ドア７、下側洗浄ノズル１２Ｂ及び下側すすぎノズル１３Ｂ等の他の部材への接触を回避しつつ、水平フランジ部７ｂと棚部１５ｄとの間の隙間方向に延びるガイド部材５０，５０Ａを取り付ける取付部を容易に確保することができる。言い換えれば、洗浄室３内に新たに取付部となる部材を設けることなく、既存のラックレール４０を取付部として利用することができる。これらの結果、部品点数の削減が可能となる。
【００６０】
なお、既存のラックレール４０を使用する場合には、既存のラックレール４０に設けられているラックガイド取付用のネジ穴を使用することが可能となる。これにより、既に店舗等に設置済みの食器洗浄機にもガイド部材５０，５０Ａを取り付けることが可能となる。
【００６１】
上記実施形態のガイド部材５０は、ラックレール４０に載置されるラックＲの側面をガイドする部分であるラックガイド部５２と、隙間Ｇ１に水を誘導する部分である第一ウォータガイド部５４及び第二ウォータガイド部５５とが一体的に形成されているので、部品点数を削減することができる。
【００６２】
上記実施形態のラックレール４０は、洗浄水タンク１５に対して着脱可能であり、かつ、下側洗浄ノズル１２Ｂ及び下側すすぎノズル１３Ｂの上方においてラックＲを載置する第一状態と下側洗浄ノズル１２Ｂ及び下側すすぎノズル１３Ｂの上方から退避する第二状態との間で回動可能に設けられている。これにより、例えば、ガイド部材５０，５０Ａと棚部１５ｄとの間に詰まった残菜等を取り除いたりする等のメンテナンスを容易に行える。
【００６３】
上記実施形態では、ガイド部材５０，５０Ａの一方の端部である固定部５１は、ラックレール４０に取り付けられ、ガイド部材５０，５０Ａの他方の端部である第二ウォータガイド部５５の先端は、水平方向において、棚部１５ｄの内側端部Ｐに所定の隙間を介して対向している。これにより、水平フランジ部７ｂと棚部１５ｄとの間の隙間Ｇ１に介在する水の量を適切に調整することが可能となる。
【００６４】
上記実施形態のガイド部材５０には、第一ウォータガイド部５４に水抜穴５４ａが形成されている。これにより、隙間Ｇ１おいて所定の介在量を超えた水は水抜穴５４ａから放出されるので、隙間Ｇ１に水が過剰に介在する状態となることを未然に防止できる。すなわち、ドア収容部１５ｅとドア７の本体部７ａとの間の隙間を介して、食器洗浄機１の外部に水が溢れ出すことを防止できる。
【００６５】
上記実施形態のように、ラックレール４０が洗浄水タンク１５に対して着脱可能かつ第一状態と第二状態との間で回動可能に設けられる構成では、ラックレール４０の設置状態によって、そのラックレール４０に取り付けられるガイド部材５０，５０Ａの設置状態も変化する。すなわち、第一ウォータガイド部５４及び第二ウォータガイド部５５の設置位置がばらつきやすく、棚部１５ｄの内側端部Ｐとガイド部材５０，５０Ａとの間の隙間Ｇ２のサイズが変化し易くなる。このため、隙間Ｇ１に介在する水の量も変化し易くなる。本実施形態では、上記の水抜穴５４ａが形成されているので、隙間Ｇ１に介在する水の量を一定に維持することができる。ガイド部材５０，５０Ａがラックレール４０に取り付けられる構成では、その効果も大きくなる。
【００６６】
以上、本発明の実施形態について説明してきたが、本発明は必ずしも上述した実施形態に限定されるものではなく、その要旨を逸脱しない範囲で様々な変更が可能である。
【００６７】
＜変形例１＞
上記実施形態では、ラックレール４０に二種類のガイド部材５０，５０Ａを取り付ける例を挙げて説明したが、ラックレール４０の第一載置部４１，４１，４１のそれぞれに一種類（共通）のガイド部材５０Ａ（図５（ｂ）参照）を取り付けてもよい。また、この場合、ラックレール４０を洗浄室３に配置したときに洗浄室３の前側に配置される第一載置部４１には、ガイド部材５０Ａとは別部材からなるラックガイド機能を有する部材（ラックガイド部５２と同等の機能を有する部材）を取り付けてもよい。例えば、ガイド部材５０Ａとラックガイド機能を有する部材とを共通のネジで共通のネジ穴に共締めすることによって取り付けてもよい。ガイド部材５０Ａの共通化を図った場合には、部品の取り付けミスを防止することができる。
【００６８】
＜変形例２＞
上記実施形態及び変形例１では、ガイド部材５０，５０Ａの先端が水平方向において棚部１５ｄの内側端部Ｐに対向するように配置されている例を挙げて説明したが、本発明は、これに限定されない。例えば、図８に示されるように、第一ウォータガイド部１５４は、鉛直下方に真っ直ぐに延在し、第一ウォータガイド部１５４から折り曲げられる第二ウォータガイド部１５５の先端は、水平フランジ部７ｂの一方の端部（側面フランジ部７ｃの下端部）Ｐ７に対向するように配置されてもよい。第二ウォータガイド部１５５は、下側洗浄ノズル１２Ｂから噴射される水が隙間Ｇ１に向かって跳ね返るように、第一ウォータガイド部１５４からの折曲角度が調整されている。
【００６９】
変形例２に係る食器洗浄機１では、第二ウォータガイド部１５５の下側端部は、上記実施形態よりも上方に配置されるので、下側洗浄ノズル１２Ｂとの接触の可能性を低減することができる。また、例えば、上側洗浄ノズル１２Ａから噴射される水が、ラックＲに収容された大きめの被洗浄物によって阻まれ、隙間Ｇ１に流れ難い場所があったとしても、下側洗浄ノズル１２Ｂから噴射される水が第二ウォータガイド部１５５に跳ね返って隙間Ｇ１に供給される。これにより、ラックＲに収容された被洗浄物の状態にかかわらず、隙間Ｇ１のどの箇所にも一定量の水を供給することができる。
【００７０】
＜変形例３＞
上記実施形態及び変形例１では、ガイド部材５０，５０Ａの先端が水平方向において棚部１５ｄの内側端部Ｐに対向するように配置されている例を挙げて説明したが、本発明は、これに限定されない。例えば、図９に示されるように、ガイド部材５０，５０Ａ（ガイド部材５０の図示は省略する。）の先端は、水平方向において、側面フランジ部７ｃに対向していてもよい。すなわち、固定部５１から延びるウォータガイド部２５４の先端は、水平方向において、側面フランジ部７ｃに所定の隙間を介して対向していてもよい。当該所定の隙間サイズは、ウォータガイド部２５４の先端から側面フランジ部７ｃに水が伝わればよく、例えば５ｍｍ程度である。
【００７１】
変形例３に係る食器洗浄機１では、側面フランジ部７ｃを介してドア７の下端である水平フランジ部７ｂと棚部１５ｄとの間の隙間Ｇ１に水を誘導することができる。すなわち、側面フランジ部７ｃに到達した水は、表面張力によって水平フランジ部７ｂに伝わり、隙間Ｇ１に誘導される。この構成によれば、ガイド部材５０，５０Ａの先端を棚部１５ｄの内側端部Ｐに直接対向させる場合と比べて、ウォータガイド部２５４を折り曲げる必要がなく、ガイド部材５０，５０Ａの形状を簡素化することが可能になる。その結果、ガイド部材５０，５０Ａの加工費も低減できる。
【００７２】
変形例３に係る食器洗浄機１では、上記の構成に加え、下側洗浄ノズル１２Ｂの側面に、隙間Ｇ１に向けて水を噴射可能な噴射穴１１２ａを設けてもよい。この場合も、隙間Ｇ１に水を供給することができる。
【００７３】
なお、上述の下側洗浄ノズル１２Ｂの側面に噴射穴１１２ａを設ける構成は、上記実施形態、及び変形例１〜３のように、ガイド部材５０，５０Ａとの組み合わせではなく、単独で設けてもよい。この場合でも、隙間Ｇ１に供給する水の量を増やすことが可能となる。この結果、水平フランジ部７ｂと棚部１５ｄとの間の隙間Ｇ１に水を介在させてシールする構成において、隙間Ｇ１のサイズの許容幅を広げることができる。
【００７４】
＜変形例４＞
上記実施形態、変形例１〜３の構成に加え、又は、ガイド部材５０，５０Ａとの組み合わせではなく単独で、図１０に示されるように、ドア７の下端である水平フランジ部７ｂに貫通穴７ｄを設けてもよい。貫通穴７ｄは、複数設けられてもよい。この構成により、上側洗浄ノズル１２Ａ、上側すすぎノズル１３Ａ、下側洗浄ノズル１２Ｂ、又は下側すすぎノズル１３Ｂから噴射される水を水平フランジ部７ｂで受けた後、貫通穴７ｄを介して棚部１５ｄに供給することができる。これにより、隙間Ｇ１に供給する水の量を増やすことが可能となる。この結果、水平フランジ部７ｂと棚部１５ｄとの間の隙間Ｇ１に水を介在させてシールする構成において、隙間Ｇ１のサイズの許容幅を広げることができる。更に、変形例４に係る構成では、水平フランジ部７ｂに穴を開ける簡単な加工で済み、合わせて、本体部７ａと水平フランジ部７ｂと側面フランジ部７ｃとによって挟まれる空間内に残菜等のゴミが溜まることを抑制できる。
【００７５】
＜変形例５＞
上記実施形態及び変形例１〜４の食器洗浄機１に備わるガイド部材５０，５０Ａの装備に代えて、図１１に示されるように、洗浄水タンク１５のノズル収容部１５ｃに、例えば、溶接等によって取り付けられるガイド部材７０を備えてもよい。ガイド部材７０は、ガイド部材５０，５０Ａと同様に、ステンレス鋼からなる板状部材であって、二箇所に折り曲げ加工がなされている。具体的には、棚部１５ｄの内側端部Ｐから斜め内側上方に折り曲げられ、その上方で鉛直上方に向かって再度折り曲げられている。なお、ガイド部材７０と同形状の部位が形成されるように、洗浄水タンク１５を形成してもよい。
【００７６】
このような構成であっても、上側洗浄ノズル１２Ａ、上側すすぎノズル１３Ａ、下側洗浄ノズル１２Ｂ、又は下側すすぎノズル１３Ｂから噴射される水を、ドア７の下端である水平フランジ部７ｂと棚部１５ｄとの間の隙間Ｇ１に誘導できる。これにより、ガイド部材７０を備えない構成の食器洗浄機と比べて、当該隙間Ｇ１に供給される水の量を増やすことが可能となる。この結果、水平フランジ部７ｂと棚部１５ｄとの間の隙間Ｇ１に水を介在させてシールする構成において、上記隙間サイズの許容幅を広げることができる。すなわち、水平フランジ部７ｂと棚部１５ｄとの間の隙間Ｇ１が大きくなる場合でも、ウォータシールＷＳが形成されにあたり十分な水の量を維持させることができる。また、ガイド部材７０は、非可動部である洗浄水タンク１５に取り付けられるため、寸法のばらつきによる他の部品との干渉の可能性が低くなる。
【００７７】
＜変形例６＞
上記実施形態及び変形例１〜５の食器洗浄機１に備わるガイド部材５０，５０Ａの装備に代えて、図１２に示されるように、ドア７のフランジの形状を変更してもよい。具体的には、水平フランジ部７ｂ及び側面フランジ部７ｃに加えて、側面フランジ部７ｃの上端から水平方向に内側に延在する第二水平フランジ部７ｅと、第二水平フランジ部７ｅから連続して、下方に延在する第二側面フランジ部７ｆと、を有していてもよい。第二側面フランジ部７ｆの下端は、上下方向において、棚部１５ｄの内側端部Ｐよりも下方に位置している。
【００７８】
この構成では、洗浄室３と隙間Ｇ１との間を遮る（縁切りする）第二側面フランジ部７ｆがあるので、仮に、寸法のばらつき等によって隙間Ｇ１のサイズが大きくなり、ウォータシールＷＳの性能が低下したとしても、洗浄室３内の水蒸気が隙間Ｇ１側に流れ込むのを抑制できる。すなわち、第二側面フランジ部７ｆを有する変形例６に係る構成では、既存部品の形状を変更する簡単な変更によって、洗浄室３内の水蒸気が食器洗浄機１の外側に漏れ出すことを抑制できる。
【００７９】
＜その他の変形例＞
上記実施形態及び変形例１〜３の構成では、ラックレール４０が洗浄室３に配置されたとき、洗浄室３の前側下部、左側下部及び右側下部に配置される第一載置部４１，４１，４１のそれぞれにガイド部材５０，５０Ａが取り付けられる構成を例に挙げて説明したが、全ての第一載置部４１，４１，４１ではなく、選択的にガイド部材５０，５０Ａが取り付けられてもよい。
【００８０】
上記実施形態及び上記変形例では、ドア７の下端である水平フランジ部７ｂと対向する棚部について、棚部１５ｄを洗浄水タンク１５の一部として形成する例を挙げて説明したが、例えば、洗浄水タンク１５の内壁にアングル部材等を固定する等して、水平フランジ部７ｂと対向する棚部を形成してもよい。
【００８１】
上記変形例５及び６を除く上記実施形態及び上記変形例では、洗浄室３に配置された状態におけるガイド部材５０，５０Ａの第一ウォータガイド部５４，１５４、第二ウォータガイド部５５，１５５及びウォータガイド部２５４には、水平方向における一部において、下端から上方に向かって一定区間に切り欠かれた切欠部が形成されていてもよい。当該切欠部は、下側すすぎノズル１３Ｂが回転時に近接する一部の区間に形成されている。これにより、すすぎ時に回転する下側すすぎノズル１３Ｂがガイド部材５０，５０Ａに接触する可能性を低減できる。
【００８２】
上記実施形態及び上記変形例では、熱交換ユニット６０を備える食器洗浄機１に適用した例を挙げて説明したが、当該熱交換ユニット６０を備えていない食器洗浄機に適用してもよい。
【００８３】
本発明は、発明の趣旨を逸脱しない範囲で、上記実施形態、上記変形例及びその他の変形例として記載の内容を適宜組み合わせてもよい。
【符号の説明】
【００８４】
１…食器洗浄機（洗浄機）、３…洗浄室、７…ドア（蓋体）、７ａ…本体部、７ｂ…水平フランジ部、７ｃ…側面フランジ部、７ｄ…貫通穴、１２Ａ…上側洗浄ノズル（洗浄ノズル）、１２Ｂ…下側洗浄ノズル（洗浄ノズル）、１３Ａ…上側すすぎノズル（すすぎノズル）、１３Ｂ…下側すすぎノズル（すすぎノズル）、１５…洗浄水タンク、１５ｄ…棚部、４０…ラックレール、５０，５０Ａ…ガイド部材、５１…固定部、５２…ラックガイド部、５４，１５４…第一ウォータガイド部、５４ａ…水抜穴、５５，１５５…第二ウォータガイド部、６０…熱交換ユニット、７０…ガイド部材、１１５…貯留部、２５４…ウォータガイド部、Ｇ１…隙間、Ｐ…内側端部、Ｐ１…第一位置、Ｐ２…第二位置、ＷＳ…ウォータシール。
【図１】
2020014719.tif 000003
【図２】
2020014719.tif 000004
【図３】
2020014719.tif 000005
【図４】
2020014719.tif 000006
【図５】
2020014719.tif 000007
【図６】
2020014719.tif 000008
【図７】
2020014719.tif 000009
【図８】
2020014719.tif 000010
【図９】
2020014719.tif 000011
【図１０】
2020014719.tif 000012
【図１１】
2020014719.tif 000013
【図１２】
2020014719.tif 000014